【手続補正書】
【提出日】平成22年8月6日(2010.8.6)
【手続補正１】
【補正対象書類名】特許請求の範囲
【補正対象項目名】全文
【補正方法】変更
【補正の内容】
【特許請求の範囲】
【請求項１】
光ビームの少なくとも一成分の分散を変化させる方法において、当該方法が：
ａ）前記光ビームの一成分を分散補償エレメントと相互作用させ、前記分散補償エレメントから離れるようにするステップと；
ｂ）前記成分を前記分散補償エレメントへ戻すように方向付けるステップとを、一回以上繰り返すステップと；
を具え、これによって、前記光ビームの成分と前記分散補償エレメントの多重相互作用を生じさせて、前記分散保障の効果を大きくすることを特徴とする方法。
【請求項２】
分散補償デバイスにおいて：
ａ）光ビームを受ける入力モジュールと；
ｂ）前記入力モジュールが前記光ビームからの光を方向付ける分散補償モジュールであって、
ｉ）前記光が分散補償エレメントと相互作用するとき、前記光の分散を変える分散補償エレメントと；
ｉｉ）前記分散補償エレメントから離れた後に、少なくとも１の追加的な回数、前記光を前記分散補償エレメントと相互作用するように戻すよう方向付ける方向付けエレメントと；
を具える分散補償モジュールとを具えることを特徴とする分散補償デバイス。
【請求項３】
分散補償デバイスにおいて：
ａ）光ビームを受ける入力モジュールと；
ｂ）前記入力モジュールが前記光ビームからの光を方向付ける分散補償モジュールであって、
ｉ）前記光が分散補償エレメントと相互作用するとき、前記光の分散を変える分散補償エレメントと；
ｉｉ）前記分散補償エレメントから離れた後に、少なくとも１の追加的な回数、前記光を前記分散補償エレメントと相互作用するように戻すよう方向付ける方向付けエレメントと；
ｉｉｉ）ブロックの第１の側部に位置する前記分散補償エレメントと、前記ブロックの第２の側部に位置する前記方向付けエレメントとの間で前記光が通過する複屈折材のブロックと；
ｉｖ）前記ブロックの第２の側部と前記方向付けエレメントの間に位置する偏光変化エレメントであって、前記分散補償エレメントへ戻るように方向付けられた前記光の偏光を変えて、前記光が、前記複屈折材のブロック内の変更された軌道に従うようにして、前記光が前記分散補償エレメントを前に離れた位置から、第１の側部に沿って横に変位した位置で前記分散補償エレメントへ戻す偏光変化エレメントと；
を具えることを特徴とするデバイス。
【請求項４】
分散補償デバイスにおいて：
光ビームを受ける入力モジュールと；
前記入力モジュールが前記光ビームからの光を方向付ける分散補償モジュールであって、
分散補償エレメントであって、前記光が分散補償エレメントと相互作用するとき、前記光の分散を変える分散補償エレメントと；
前記分散補償エレメントから離れた後に、少なくとも１の追加的な回数、前記光を前記分散補償エレメントと相互作用するように戻すよう方向付ける方向付けエレメントと；
調節可能な延在部まで前記分散補償エレメントを覆う可動ミラーと；
を具え、前記覆う部分が、光が前記分散補償エレメントと相互作用することを防ぎ、これによって、分散補償の程度を制御することを特徴とするデバイス。
【請求項５】
分散補償デバイスにおいて：
ａ）光ビームを受光する入力モジュールと；
ｂ）前記入力モジュールが前記光ビームからの光をその方向に方向付けて、前記光ビームの少なくとも一成分を横に変位させるように構成され作用する分散補償モジュールであって、
ｉ）分散補償エレメントであって、前記光が分散補償エレメントと相互作用するとき、前記光の分散を変える分散補償エレメントと；
ｉｉ）前記分散補償エレメントから離れた後に、少なくとも１の追加的な回数、前記光を前記分散補償エレメントと相互作用するように戻すよう方向付ける方向付けエレメントと；
を具える分散補償モジュールと；を具え、
前記方向付けエレメントが：
ｉ）第１の側と、反対の第２の側を有する複屈折材料でできたブロックと；
ｉｉ）前記ブロックの第１の側に沿って横方向に延在する第１の反射表面と、前記ブロックの外側に前記ブロックの第１の側に収容した第１の偏光状態変更エレメントであって、前記第１の反射表面と第１の偏光状態変更エレメントが、前記ブロックから出射する前記ビームを前記第１の側を通って戻し、異なる光路にそって前記ブロックを再び通過するように作用するエレメントと；
ｉｉｉ）前記ブロックの第２の側に沿って横方向に延在する第２の反射表面と、前記ブロックの外側に前記ブロックの第２の側に収容した第２の偏光状態変更エレメントであって、前記第２の反射表面と第２の偏光状態変更エレメントが、前記ブロックから出射する前記ビームを前記第２の側を通って、更に異なる光路にそって前記ブロックを再び通過するように作用するエレメントと；
を具え、
前記反射面が前記ブロックの前記第１及び第２の側において横に延在して、前記光ビーム成分の前記ブロックを通る所望の数の二重光路を提供しており、当該二重光路の各々と、前記複屈折材料でできたブロックの対向する側に配置した前記偏光回転エレメントと前記光ビームとの相互作用が、前記光ビーム成分のあらかじめ決められた横方向の変異を提供し、前記所望の数の二重光路から生じる光ビームが前記ブロックを最後に出た後に前記複屈折材料から離れる方向へ伝達し、前記二重光路は、前記光ビームが前記ブロックを通って第１の出口位置を通り、前記第１の出口位置において前記ブロックに再入射する光ビームが、その変更された偏光状態によって異なる角度で方向づけられた光路を通り、前記ブロックを通って前記第１の泡に戻り、前記第１の出口位置から横方向に変位されている第２の出口位置に届くように実装されている、
ことを特徴とするデバイス。
【請求項６】
光ビームの分散を変化させる方法において：
ａ）各々が、高反射面と、透明材料によって当該高反射面から分離した部分反射面を有するＧＴエタロンキャビティを具える第１及び第２の分散補償エレメントであって、前記第１及び第２の分散補償エレメントの当該ＧＴエタロンキャビティがそれぞれ、前記それぞれの分散補償エレメントと光相互作用をする分散に対応する少なくとも第１及び第２の群遅延周波数プロファイルによって特徴づけられる、分散補償エレメントを提供するステップと；
ｂ）前記光ビームを前記第１及び第２の光分散補償エレメントの各々を通過させ、前記それぞれの分散補償エレメントをそのままにしておくステップと；
ｃ）少なくとも１の追加的な回数、一またはそれ以上の少なくとも前記第１及び第２の分散補償エレメントと相互作用するように前記光ビームを方向づけて、これによって、前記光ビームを前記分散補償エレメントと多重相互作用させ、前記分散補償の効果を上げるステップと；
を具え、
前記ＧＴエタロンキャビティの少なくとも第１及び第２の群遅延プロファイルが、一またはそれ以上の周波数チャンネルの中心周波数内で、少なくとも前記第１及び第２の群遅延プロファイルの第２の周波数の導関数がほぼゼロになるように選択され、その次数の少なくとも前記第１及び第２の群遅延プロファイルの第３の周波数の導動関数の群遅延リップルを提供することを特徴とする方法。
【請求項７】
分散補償デバイスにおいて：
ａ）光ビームを受ける入力モジュールと；
ｂ）前記光ビームからの光をその方向に方向付ける分散補償モジュールであって；
ｉ）前記入力モジュールからの前記光と多重相互作用するように配置した少なくとも第１及び第２の分散補償エレメントであって、当該第１及び第２の分散補償エレメントの各々が、高反射面と、透明材料によって当該高反射面から分離した部分反射面を有するＧＴエタロンキャビティを具える第１及び第２の分散補償エレメントを具え、前記少なくとも第１及び第２の分散補償エレメントのＧＴエタロンキャビティが、前記分散補償エレメントの各々と相互作用する光の分散に対応する少なくとも第１及び第２の群遅延周波数プロファイルによって特徴づけられる、エレメントと；
ｉｉ）少なくとも１の追加的回数、少なくとも前記第１の分散補償エレメントと相互作用させるように前記光を方向付ける方向付けエレメントであって、少なくとも１のミラーと前記第２の分散補償エレメントを具える、方向付けエレメントと；を具え、
前記ＧＴエタロンキャビティの少なくとも前記第１及び第２の群遅延プロファイルが、一またはそれ以上の周波数チャンネルの中心周波数内で、少なくとも前記第１及び第２の群遅延プロファイルの第２の周波数の導関数がほぼゼロになるように選択され、その次数の少なくとも前記第１及び第２の群遅延プロファイルの第３の周波数の導関数の群遅延リップルを提供することを特徴とする、分散補償デバイス。